(57)【要約】【課題】  ピストンが傾斜することを防止できるパイロット式スチームトラップを提供する。【解決手段】  入口４と出口６が形成された本体１と蓋２とで形成されたトラップケーシングと、入口４と出口６の間に形成された弁口１４と、弁口１４の入口側に配され弁口１４を開閉する弁体１７と、弁口１４の出口側に配され弁体１７を駆動するピストン１６と、ピストン１６の弁口１４とは反対側の一面に形成された圧力室１０と、圧力室１０を入口側に連通する第１オリフィス１１と、圧力室１０を出口側に連通する第２オリフィス２０と、第１オリフィス１１を開閉し圧力室１０内の圧力を制御してピストン１６を動作させるパイロット弁９と、弁口１４とピストン１６の間の出口側空間７と出口６とを隔てる隔壁筒２１と、隔壁筒２１に複数個形成され総開口面積が弁口面積と同等の連通孔２２とを備える。【選択図】      図１
2009275850.tif 000002
【特許請求の範囲】
【請求項１】
入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものにおいて、弁口とピストンの間の出口側空間と出口とを隔てる隔壁筒を設け、隔壁筒に総開口面積が弁口面積と同等となる連通孔を等間隔に複数個形成したことを特徴とするパイロット式スチームトラップ。
【発明の詳細な説明】
【技術分野】
【０００１】
本発明は、蒸気配管系に発生する復水を自動的に排出するスチームトラップに関し、特にパイロット弁の開閉によってピストンを動作させるようにしたパイロット式スチームトラップに関する。
【背景技術】
【０００２】
従来のパイロット式スチームトラップは特公平６−６３５９９号公報に示されている。これは、入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものである。
【０００３】
上記従来のパイロット式スチームトラップは、弁口とピストンの間の出口側空間から出口までが弁口面積よりも比較的大きな単一の流路で連結されているために、弁口から出口に向かう排出復水によりピストンが傾斜し、ピストンが円滑に動作できなくなる問題点があった。
【特許文献１】特公平６−６３５９９号公報
【発明の開示】
【発明が解決しようとする課題】
【０００４】
従って、本発明の技術的課題は、ピストンが傾斜することを防止できるパイロット式スチームトラップを提供することである。
【課題を解決するための手段】
【０００５】
上記の技術的課題を解決するために講じた本発明の技術的手段は、入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通する第２オリフィスと、第１オリフィスを開閉し圧力室内の圧力を制御してピストンを動作させるパイロット弁とを備えたものにおいて、弁口とピストンの間の出口側空間と出口とを隔てる隔壁筒を設け、隔壁筒に総開口面積が弁口面積と同等となる連通孔を等間隔に複数個形成したことを特徴とするパイロット式スチームトラップにある。
【発明の効果】
【０００６】
本発明は、弁口とピストンの間の出口側空間と出口とを隔てる隔壁筒を設け、隔壁筒に総開口面積が弁口面積と同等となる連通孔を等間隔に複数個形成することにより、ピストンが傾斜することを防止でき、ピストンが円滑に動作できるパイロット式スチームトラップを提供できるという優れた効果を生じる。
【発明を実施するための最良の形態】
【０００７】
本発明は、弁口とピストンの間の出口側空間と出口とを隔てる隔壁筒を設け、隔壁筒に総開口面積が弁口面積と同等となる連通孔を等間隔に複数個形成したものである。そのため、弁口から出口に向かう排出復水が隔壁筒内に一旦溜り、ピストンに均等に作用した後、連通孔から出口に排出される。そのため、ピストンが傾斜することを防止できる。
【実施例１】
【０００８】
上記の技術的手段の具体例を示す実施例を説明する（図１参照）。本体１と本体１に固着された蓋２によりトラップケーシングが形成される。本体１に入口４と出口６が形成される。入口４と出口６は同一軸上に形成される。トラップケーシングの内部は仕切り壁３により入口４の連通する入口側空間５と出口６の連通する出口側空間７に仕切られる。入口側空間５の下部に異物捕捉用のスクリーン８が配置される。入口側空間５の上部にパイロット弁９が取付けられる。パイロット弁９は具体的な構造の図示を省略しているが、入口側空間５の温度に従って膨脹収縮する膨脹媒体によりダイヤフラムを変位せしめ、ダイヤフラムに連結した弁部材により下記の圧力室１０に連通する第１オリフィス１１を開閉するようにしたものである。
【０００９】
出口側空間７にシリンダ１２が配置される。入口側空間５と出口側空間７の間に弁座１３が配置される。入口側空間５と出口側空間７は弁座１３に開けられた弁口１４により連通される。シリンダ１２内に気密的に摺動するピストン１６が配置され、弁口１４の下方の入口側空間５側に弁口１４を開閉する弁体１７が配置される。弁体１７は弁棒部１８が弁座１３を貫通し、更にピストン１６を貫通して、ナット１９によりピストン１６に固定され、ピストン１６により駆動される。ピストン１６の弁口１４とは反対側の一面に形成された上方空間が圧力室１０を成し、第１オリフィス１１によって入口側空間５に連通している。また圧力室１０はピストン１６を貫通する第２オリフィス２０により出口側空間７に連通している。
【００１０】
弁口１４とピストン１６の間の出口側空間７と出口６とを隔てる隔壁筒２１を設け、隔壁筒２１に総開口面積が弁口面積と同等となる連通孔２２を等間隔に複数個、例えば６個形成する。
【００１１】
上記実施例の作動は下記の通りである。始動時は入口側空間５が低温であり、パイロット弁９の開弁により第１オリフィス１１から圧力室１０に導入される低温流体により圧力室１０の圧力が高められ、ピストン１６が下方に変位し、これに伴って弁体１７が弁座１３から離座して弁口１４を開き、入口４からの復水を出口６へ排出する。弁口１４から出口６に向かう排出復水が隔壁筒２１内に一旦溜り、ピストン１６に均等に作用した後、連通孔２２から出口６に排出されので、ピストン１６が傾斜することを防止できる。復水の排出により入口側空間５が高温になると、パイロット弁９が第１オリフィス１１を閉弁し、圧力室１０の圧力が第２オリフィス２０を通して次第に低下するので、弁体１７が弁口１４を塞ぐ。
【図面の簡単な説明】
【００１２】
【図１】本発明の実施例のパイロット式スチームトラップの断面図である。
【符号の説明】
【００１３】
１  本体
２  蓋
４  入口
５  入口側空間
６  出口
７  出口側空間
９  パイロット弁
１０  圧力室
１１  第１オリフィス
１３  弁座
１４  弁口
１６  ピストン
１７  弁体
２０  第２オリフィス
２１  隔壁筒
２２  連通孔
【図１】
2009275850.tif 000003